(57)【要約】【目的】透過視認性がよく、アンテナ部が丈夫で製造容易な貼付アンテナシートを提供する。【構成】  絶縁シート５と金属層７と印刷層８からなるエレメントシートにアンテナパターンを切込んで基体シート１０に貼り付け、アンテナ以外の部分を除去してアンテナ部２５を基体シート上に形成し、アンテナ部を覆って基体シートにアクリル樹脂を印刷した後にアンテナ部の周囲を切断して外側を剥離除去し、保護層を形成する。上から剥離して除去可能な透光性の被覆シートを被せ、貼付アンテナシート１を得る。貼付はガラス面４０に基体シートを貼付して被覆シートを剥がして行う。アンテナ部が金属製の切り抜きで丈夫であり、切断面が被覆されるので耐久性もある。【選択図】図１２
0003104382.tif 000002
【実用新案登録請求の範囲】
【請求項１】
貼付面に貼着される一方の面に設けられた粘着層が剥離シートで覆われており、透光性及び絶縁性を備える基体シートと、
アンテナパターンの切込みを形成した金属シートを前記基体シートの他方の面に粘着層を介して貼り付けた後にアンテナパターン以外の前記金属シートを除去してなる長体状のアンテナ部と、
前記アンテナ部が設けられた前記基体シートの他方の面に前記アンテナ部を覆うように印刷して固化させた透光性及び絶縁性を備える保護材料を、前記アンテナ部を囲む形状に沿って切断し、前記アンテナ部の外側にある前記保護材料を除去することにより、前記アンテナ部の切断面を含む表面及び当該アンテナ部に近接した前記基体シートの他方の面を覆うように形成された保護層と、
前記基体の他方の面に粘着層を介して設けられ、前記保護層に覆われた前記アンテナ部及び前記基体シートの他方の面の少なくとも一部を覆い、前記貼付面に前記粘着層を介して前記基体シートを貼着した後に、前記保護層に覆われた前記アンテナ部を前記基体シート上に残して前記基体シートの他方の面から剥離して除去可能である被覆シートと、
を有する貼付アンテナシート。
【請求項２】
貼付面に貼着される一方の面に設けられた粘着層が剥離シートで覆われており、透光性及び絶縁性を備える基体シートと、
アンテナパターンの切込みを形成した金属シートを前記基体シートの他方の面に粘着層を介して貼り付けた後にアンテナパターン以外の前記金属シートを除去してなる長体状のアンテナ部と、
前記アンテナ部が設けられた前記基体シートの他方の面に前記アンテナ部を覆うように貼着した透光性及び絶縁性を備える保護フィルムを、前記アンテナ部を囲む形状に沿って切断し、前記アンテナ部の外側にある前記保護フィルムを除去することにより、前記アンテナ部の表面及び当該アンテナ部に近接した前記基体シートの他方の面を覆うように形成された保護層と、
前記基体シートの他方の面に粘着層を介して設けられ、前記保護層に覆われた前記アンテナ部及び前記基体シートの他方の面の少なくとも一部を覆い、前記貼付面に前記粘着層を介して前記基体シートを貼着した後に、前記保護層に覆われた前記アンテナ部を前記基体シート上に残して前記基体シートの他方の面から剥離して除去可能である被覆シートと、
を有する貼付アンテナシート。
【請求項３】
貼付面に貼着される一方の面に設けられた粘着層が剥離シートで覆われており、透光性及び絶縁性を備える基体シートと、
一方の面に粘着層を介して剥離シートが設けられた絶縁シートと、該絶縁シートの他方の面に設けられた金属層と、該金属層に形成された印刷層とを備えたエレメントシートから形成され、前記印刷層と前記金属層と前記絶縁シートにアンテナパターンの切込みを形成した後に剥離紙を除去して前記基体シートの他方の面に粘着層を介して貼り付け、アンテナパターン以外の部分を除去してなる長体状のアンテナ部と、
前記アンテナ部が設けられた前記基体シートの他方の面に前記アンテナ部を覆うように印刷して固化させた透光性及び絶縁性を備える保護材料を、前記アンテナ部を囲む形状に沿って切断し、前記アンテナの外側にある前記保護材料を除去することにより、前記アンテナ部の表面及び当該アンテナ部に近接した前記基体シートの他方の面を覆うように形成された保護層と、
前記基体シートの他方の面に粘着層を介して設けられ、前記保護層に覆われた前記アンテナ部及び前記基体シートの他方の面の少なくとも一部を覆い、前記貼付面に前記粘着層を介して前記基体シートを貼着した後に、前記保護層に覆われた前記アンテナ部を前記基体シート上に残して前記基体シートの他方の面から剥離して除去可能である被覆シートと、
を有する貼付アンテナシート。
【請求項４】
貼付面に貼着される一方の面に設けられた粘着層が剥離シートで覆われており、透光性及び絶縁性を備える基体シートと、
一方の面に粘着層を介して剥離シートが設けられた絶縁シートと、該絶縁シートの他方の面に設けられた金属層と、該金属層に形成された印刷層とを備えたエレメントシートから形成され、前記印刷層と前記金属層と前記絶縁シートにアンテナパターンの切込みを形成した後に剥離紙を除去して前記基体シートの他方の面に粘着層を介して貼り付け、アンテナパターン以外の部分を除去してなる長体状のアンテナ部と、
前記アンテナ部が設けられた前記基体シートの他方の面に前記アンテナ部を覆うように貼着した透光性及び絶縁性を備える保護フィルムを、前記アンテナ部を囲む形状に沿って切断し、前記アンテナ部の外側にある前記保護フィルムを除去することにより、前記アンテナ部の表面及び当該アンテナ部に近接した前記基体シートの他方の面を覆うように形成された保護層と、
前記基体シートの他方の面に粘着層を介して設けられ、前記保護層に覆われた前記アンテナ部及び前記基体シートの他方の面の少なくとも一部を覆い、前記貼付面に前記粘着層を介して前記基体シートを貼着した後に、前記保護層に覆われた前記アンテナ部を前記基体シート上に残して前記基体シートの他方の面から剥離して除去可能である被覆シートと、
を有する貼付アンテナシート。
【請求項５】
貼付面に貼着される一方の面に設けられた粘着層が剥離シートで覆われており、透光性及び絶縁性を備える基体シートと、
一方の面に粘着層を介して剥離シートが設けられた透光性の絶縁シートと該絶縁シートの他方の面に設けられた透光性の金属層を備えたエレメントシートから形成され、前記金属層と前記絶縁シートにアンテナパターンの切込みを形成した後に剥離紙を除去して前記基体シートの他方の面に粘着層を介して貼り付け、アンテナパターン以外の部分を除去してなる透光性を有する長体状のアンテナ部と、
前記アンテナ部が設けられた前記基体シートの他方の面に前記アンテナ部を覆うように印刷して固化させた透光性及び絶縁性を備える保護材料を、前記アンテナ部を囲む形状に沿って切断し、前記アンテナ部の外側にある前記保護材料を除去することにより、前記アンテナ部の表面及び当該アンテナ部に近接した前記基体シートの他方の面を覆うように形成された保護層と、
前記基体シートの他方の面に粘着層を介して設けられ、前記保護層に覆われた前記アンテナ部及び前記基体シートの他方の面の少なくとも一部を覆い、前記貼付面に前記粘着層を介して前記基体シートを貼着した後に、前記保護層に覆われた前記アンテナ部を前記基体シート上に残して前記基体シートの他方の面から剥離して除去可能である被覆シートと、
を有する貼付アンテナシート。
【請求項６】
貼付面に貼着される一方の面に設けられた粘着層がスリット入りの剥離シートで覆われており、透光性及び絶縁性を備えるＰＥＴからなる基体シートと、
一方の面に粘着層を介して剥離シートが設けられたＰＥＴからなる絶縁シートと、該絶縁シートの他方の面に設けられた銅からなる金属層と、該金属層に形成されて前記金属層を腐食から保護する印刷層とを備えたエレメントシートから形成され、前記印刷層と前記金属層と前記絶縁シートにアンテナパターンの切込みを形成した後に剥離紙を除去して前記基体シートの他方の面に粘着層を介して貼り付け、アンテナパターン以外の部分を除去してなる長体状のアンテナ部と、
前記アンテナ部が設けられた前記基体シートの他方の面に前記アンテナ部を覆うように印刷して固化させた透光性及び絶縁性を備えるアクリル樹脂を含む保護材料を、前記アンテナ部を囲む形状に沿って切断し、前記アンテナの外側にある前記保護材料を除去することにより、前記アンテナ部の切断面を含む表面及び当該アンテナ部に近接した前記基体シートの他方の面を覆うように形成された保護層と、
前記基体シートの他方の面に粘着層を介して設けられ、前記保護層に覆われた前記アンテナ部及び前記基体シートの他方の面を覆い、前記貼付面に前記粘着層を介して前記基体シートを貼着した後に、前記保護層に覆われた前記アンテナ部を前記基体シート上に残して前記基体シートの他方の面から剥離して除去可能である透光性の被覆シートと、
を有する貼付アンテナシート。
【考案の詳細な説明】
【技術分野】
【０００１】
本考案は、自動車の窓ガラス、家屋・ビル等の窓ガラス、その他の貼付面に貼り付けて設置する貼付アンテナを提供する貼付アンテナシートに関するものである。
【背景技術】
【０００２】
従来、ラジオ電波、テレビ電波などの電波を受信するために、自動車の窓ガラス面に接着剤層を有するアンテナシートを貼付することが行なわれていた。特許文献１にはかかるアンテナシートの一例が開示されている。
【特許文献１】特開２００１−１１９２１９号公報
【０００３】
このアンテナシートの構成を説明する。図１６及び図１７に示すように、透明の基材シート１００の表面に、銀などを主成分とする導電性ペーストをスクリーン印刷機でアンテナ形状のパターンに印刷してアンテナ素子１０１を形成し、その端部には端子部１０２を形成する。次に、アンテナ素子１０１の上にその線幅より太い幅で、防水等を目的として保護層１０３を形成する。さらにアンテナ素子１０１、端子部１０２を覆って基材シート１００の表面にプロテクトフィルム１０４を接着固定して被覆する。そして、基材シート１００のアンテナ素子１０１が形成されていない面に、強粘着剤層１０５を介して樹脂シート１０６を設け、さらに樹脂シート１０６には貼着層１０７を介して剥離シート１０８を設ける。
【０００４】
かかる構成のアンテナ素子付き基材シートを被着体に貼付するには、剥離シート１０８を剥がし、貼着層１０７をもって被着体に貼り付ければよい。この貼着層１０７を適当な材質の粘着物質で構成すれば、アンテナ素子付き基材シートを被着体へ貼着した後にも、これを容易に被着体から剥離し、又は被着体へ再貼着することが可能である。従って、貼着したアンテナ素子付き基材シートの位置ずれの修正や他の自動車の窓ガラスへの移動が容易となる。
【考案の開示】
【考案が解決しようとする課題】
【０００５】
しかしながら、従来のアンテナ素子付き基材シートによれば、若干の間隔をおいて配置した基材シート１００とプロテクトフィルム１０４の２枚のシート状物でアンテナ素子１０１を挟んだ構造であるため、たとえ基材シート１００とプロテクトフィルム１０４が透明であっても、２枚のシート状物と両者間に残された空間によって全体的な反射率が窓ガラスと大きく異なることになってしまい、その外形がはっきり視認できてしまう。このため、このアンテナ素子付き基材シートを自動車の窓ガラスに設けた場合には、アンテナ素子付き基材シートが貼られた領域の視界が悪くなり、その設ける位置によっては基材シートの部分を通して窓の外を観察することが困難になる場合も想定でき、また見栄えの点でも好ましくなかった。
【０００６】
さらに、このアンテナ素子１０１は受信しようとする電波や予想される条件等に応じて比較的複雑な種々のパターンで形成する必要があるが、従来は前述したように導電性ペーストをスクリーン印刷していたので、印刷版を形成しなければならない煩雑さや、印刷幅や印刷厚さの点等において様々な設計上の制約があり、また印刷後に乾燥を必要とすることからすぐに次の工程に移ることができないという製造上の制約もあった。さらにまた固化した導電性ペーストは曲げに弱いという強度上の問題もあった。
【０００７】
そこで、本考案は、ガラス面等の貼付面に容易に設けることができるとともに、設置後の見栄えもよく、特にガラス面に設けた場合にはその視界を遮りにくく、さらにアンテナエレメントの強度が高くかつ製造が容易で種々の設計条件に十分に適応できる貼付アンテナシートを提供することを目的としている。
【課題を解決するための手段】
【０００８】
請求項１に記載された貼付アンテナシートは、
貼付面に貼着される一方の面に設けられた粘着層が剥離シートで覆われており、透光性及び絶縁性を備える基体シートと、
アンテナパターンの切込みを形成した金属シートを前記基体シートの他方の面に粘着層を介して貼り付けた後にアンテナパターン以外の前記金属シートを除去してなる長体状のアンテナ部と、
前記アンテナ部が設けられた前記基体シートの他方の面に前記アンテナ部を覆うように印刷して固化させた透光性及び絶縁性を備える保護材料を、前記アンテナ部を囲む形状に沿って切断し、前記アンテナ部の外側にある前記保護材料を除去することにより、前記アンテナ部の切断面を含む表面  び当該アンテナ部に近接した前記基体シートの他方の面を覆うように形成された保護層と、
前記基体の他方の面に粘着層を介して設けられ、前記保護層に覆われた前記アンテナ部及び前記基体シートの他方の面の少なくとも一部を覆い、前記貼付面に前記粘着層を介して前記基体シートを貼着した後に、前記保護層に覆われた前記アンテナ部を前記基体シート上に残して前記基体シートの他方の面から剥離して除去可能である被覆シートと、
を有することを特徴とする。
【０００９】
請求項２に記載された貼付アンテナシートは、
貼付面に貼着される一方の面に設けられた粘着層が剥離シートで覆われており、透光性及び絶縁性を備える基体シートと、
アンテナパターンの切込みを形成した金属シートを前記基体シートの他方の面に粘着層を介して貼り付けた後にアンテナパターン以外の前記金属シートを除去してなる長体状のアンテナ部と、
前記アンテナ部が設けられた前記基体シートの他方の面に前記アンテナ部を覆うように貼着した透光性及び絶縁性を備える保護フィルムを、前記アンテナ部を囲む形状に沿って切断し、前記アンテナ部の外側にある前記保護フィルムを除去することにより、前記アンテナ部の表面及び当該アンテナ部に近接した前記基体シートの他方の面を覆うように形成された保護層と、
前記基体シートの他方の面に粘着層を介して設けられ、前記保護層に覆われた前記アンテナ部及び前記基体シートの他方の面の少なくとも一部を覆い、前記貼付面に前記粘着層を介して前記基体シートを貼着した後に、前記保護層に覆われた前記アンテナ部を前記基体シート上に残して前記基体シートの他方の面から剥離して除去可能である被覆シートと、
を有することを特徴とする。
【００１０】
請求項３に記載された貼付アンテナシートは、
貼付面に貼着される一方の面に設けられた粘着層が剥離シートで覆われており、透光性及び絶縁性を備える基体シートと、
一方の面に粘着層を介して剥離シートが設けられた絶縁シートと、該絶縁シートの他方の面に設けられた金属層と、該金属層に形成された印刷層とを備えたエレメントシートから形成され、前記印刷層と前記金属層と前記絶縁シートにアンテナパターンの切込みを形成した後に剥離紙を除去して前記基体シートの他方の面に粘着層を介して貼り付け、アンテナパターン以外の部分を除去してなる長体状のアンテナ部と、
前記アンテナ部が設けられた前記基体シートの他方の面に前記アンテナ部を覆うように印刷して固化させた透光性及び絶縁性を備える保護材料を、前記アンテナ部を囲む形状に沿って切断し、前記アンテナの外側にある前記保護材料を除去することにより、前記アンテナ部の表面及び当該アンテナ部に近接した前記基体シートの他方の面を覆うように形成された保護層と、
前記基体シートの他方の面に粘着層を介して設けられ、前記保護層に覆われた前記アンテナ部及び前記基体シートの他方の面の少なくとも一部を覆い、前記貼付面に前記粘着層を介して前記基体シートを貼着した後に、前記保護層に覆われた前記アンテナ部を前記基体シート上に残して前記基体シートの他方の面から剥離して除去可能である被覆シートと、
を有することを特徴とする。
【００１１】
請求項４に記載された貼付アンテナシートは、
貼付面に貼着される一方の面に設けられた粘着層が剥離シートで覆われており、透光性及び絶縁性を備える基体シートと、
一方の面に粘着層を介して剥離シートが設けられた絶縁シートと、該絶縁シートの他方の面に設けられた金属層と、該金属層に形成された印刷層とを備えたエレメントシートから形成され、前記印刷層と前記金属層と前記絶縁シートにアンテナパターンの切込みを形成した後に剥離紙を除去して前記基体シートの他方の面に粘着層を介して貼り付け、アンテナパターン以外の部分を除去してなる長体状のアンテナ部と、
前記アンテナ部が設けられた前記基体シートの他方の面に前記アンテナ部を覆うように貼着した透光性及び絶縁性を備える保護フィルムを、前記アンテナ部を囲む形状に沿って切断し、前記アンテナ部の外側にある前記保護フィルムを除去することにより、前記アンテナ部の表面及び当該アンテナ部に近接した前記基体シートの他方の面を覆うように形成された保護層と、
前記基体シートの他方の面に粘着層を介して設けられ、前記保護層に覆われた前記アンテナ部及び前記基体シートの他方の面の少なくとも一部を覆い、前記貼付面に前記粘着層を介して前記基体シートを貼着した後に、前記保護層に覆われた前記アンテナ部を前記基体シート上に残して前記基体シートの他方の面から剥離して除去可能である被覆シートと、
を有することを特徴とする。
【００１２】
請求項５に記載された貼付アンテナシートは、
貼付面に貼着される一方の面に設けられた粘着層が剥離シートで覆われており、透光性及び絶縁性を備える基体シートと、
一方の面に粘着層を介して剥離シートが設けられた透光性の絶縁シートと該絶縁シートの他方の面に設けられた透光性の金属層を備えたエレメントシートから形成され、前記金属層と前記絶縁シートにアンテナパターンの切込みを形成した後に剥離紙を除去して前記基体シートの他方の面に粘着層を介して貼り付け、アンテナパターン以外の部分を除去してなる透光性を有する長体状のアンテナ部と、
前記アンテナ部が設けられた前記基体シートの他方の面に前記アンテナ部を覆うように印刷して固化させた透光性及び絶縁性を備える保護材料を、前記アンテナ部を囲む形状に沿って切断し、前記アンテナ部の外側にある前記保護材料を除去することにより、前記アンテナ部の表面及び当該アンテナ部に近接した前記基体シートの他方の面を覆うように形成された保護層と、
前記基体シートの他方の面に粘着層を介して設けられ、前記保護層に覆われた前記アンテナ部及び前記基体シートの他方の面の少なくとも一部を覆い、前記貼付面に前記粘着層を介して前記基体シートを貼着した後に、前記保護層に覆われた前記アンテナ部を前記基体シート上に残して前記基体シートの他方の面から剥離して除去可能である被覆シートと、
を有することを特徴とする。
【００１３】
請求項６に記載された貼付アンテナシートは、
貼付面に貼着される一方の面に設けられた粘着層がスリット入りの剥離シートで覆われており、透光性及び絶縁性を備えるＰＥＴからなる基体シートと、
一方の面に粘着層を介して剥離シートが設けられたＰＥＴからなる絶縁シートと、該絶縁シートの他方の面に設けられた銅からなる金属層と、該金属層に形成されて前記金属層を腐食から保護する印刷層とを備えたエレメントシートから形成され、前記印刷層と前記金属層と前記絶縁シートにアンテナパターンの切込みを形成した後に剥離紙を除去して前記基体シートの他方の面に粘着層を介して貼り付け、アンテナパターン以外の部分を除去してなる長体状のアンテナ部と、
前記アンテナ部が設けられた前記基体シートの他方の面に前記アンテナ部を覆うように印刷して固化させた透光性及び絶縁性を備えるアクリル樹脂を含む保護材料を、前記アンテナ部を囲む形状に沿って切断し、前記アンテナの外側にある前記保護材料を除去することにより、前記アンテナ部の切断面を含む表面及び当該アンテナ部に近接した前記基体シートの他方の面を覆うように形成された保護層と、
前記基体シートの他方の面に粘着層を介して設けられ、前記保護層に覆われた前記アンテナ部及び前記基体シートの他方の面を覆い、前記貼付面に前記粘着層を介して前記基体シートを貼着した後に、前記保護層に覆われた前記アンテナ部を前記基体シート上に残して前記基体シートの他方の面から剥離して除去可能である透光性の被覆シートと、
を有することを特徴とする。
【考案の効果】
【００１４】
本考案の貼付アンテナシートによれば、貼付面に貼られる基体シートのアンテナ部は、金属層又は金属シートをプレス等の手段で精密に切断して長体状に形成しているので、自由な形状・パターン・寸法に形成でき、しかも金属層又は金属シートを打ち抜いたものであるからペーストが固化したものよりも強度が高い。さらに、このような金属製のカットされたアンテナ部は長体状で扱いにくく断線し易いものであるが、アンテナ部の切込みを形成したシートを基体シートに貼り付けた後にアンテナ部だけを残して不要部分を剥離除去する手法で基体シートに形成する構造なので、パターンの歪みや断線もなく、上記構成を実現できる。
【００１５】
また、上述した通り、本考案の基体シートのアンテナ部は切断して形成した構造であるから、さらに切断面を腐食等から保護する構造をとる必要が特に高いが、このアンテナ部を覆う保護層は、このアンテナ部を覆って保護フィルムを貼付するか流体状の保護材料を印刷した後にアンテナパターンに沿って切り取って外側の不要部分を除去して得る構造なので、切断面を含めてアンテナ部の全体を隙間なく密閉して従来以上の確実な防水・防錆効果を得ることができる。
【００１６】
また、本考案の貼付アンテナシートによれば、アンテナ部を有する基体シートをガラス面等に貼った後、表側にある被覆シートを引っ張ればアンテナ部を基体シート上に残して被覆シートだけが剥ぎとられる。従って、ガラス面上には細いアンテナ部を有する基体シート１枚しか残らず、従来に比べて光の透過性が良好であり、視界を妨げにくい。しかも、窓ガラスに実際に貼るまでは、基体シートに設けられたアンテナ部は被覆シートに保護されているので、取り扱いに際して損傷しにくい。
【考案を実施するための最良の形態】
【００１７】
本考案の実施の形態の一例 (本例）を図１〜図１５を参照して説明する。
図１は本例の貼付アンテナシートを製造する際の材料 (部品）となるエレメントシートの断面図、図２は本例の貼付アンテナシートを製造する際の材料 (部品）となる基体シートの断面図、図３は本例の貼付アンテナシートを製造する際の材料 (部品）となる被覆シートの断面図である。
図４乃至図１３は本例の貼付アンテナシートの構造を説明するための各製造工程を示す図であり、図４〜図１０、図１２、図１３においては、それぞれ分図（ａ）は斜視図であり、同分図（ｂ）は前記分図（ａ）中に示した切断線ｂ−ｂにおける断面図である。また図１１は斜視図である。
図１４は本例の貼付アンテナシートを製造する際の材料 (部品）となるエレメントシートの変形例の断面図であり、図１５は本例の貼付アンテナシートを自動車のフロントガラスに貼付した状態を示す斜視図である。
【００１８】
本例の貼付アンテナシート１の構造を、図１乃至図１３の製造工程図を参照して説明する。まず、図１乃至図３を参照して本例の貼付アンテナシート１を製造する際の材料 (部品）の構造を説明する。
【００１９】
図１に示すエレメントシート２は、貼付アンテナシート１の細線状（長体状）のアンテナ部を構成するための略矩形のシート材料であり、その一方の面（窓ガラス等への貼り付け側である下面）に粘着層３を介して剥離シート４が設けられたＰＥＴからなる略矩形の絶縁シート５と、該絶縁シート５の他方の面（後述するアンテナ部が設けられる上面）に粘着層６を介して設けられた銅からなる金属層７と、該金属層７の上面に印刷されて前記金属層７を腐食から保護する印刷層８とを備えている。
【００２０】
図２に示す基体シート１０は、前記アンテナ部をその上面に保持するための土台となる略矩形のシートであって、透光性及び絶縁性を備えるＰＥＴからなる。その一方の面には、粘着層１１が設けられて剥離シート１２で覆われている。この剥離シート１２には中央に少なくとも２本のスリット１３が平行に設けられており、窓ガラス等に貼る場合に剥がしやすく、ガラス面に対して位置決めして貼り付ける動作が行いやすくなっている。
【００２１】
図３に示す被覆シート１５は、貼付アンテナシート１の取り扱い時に、前記基体シート１０上に設けられたアンテナ部を保護するためのＰＥＴからなるシートであって、窓ガラス等に貼り付けた後には除去されるものであり、一方の面には粘着層１６を介して剥離シート１７が設けられている。
【００２２】
次に、図４乃至図１１を参照して本例の貼付アンテナシート１の製造工程と各工程で得られる構造を説明する。
図４に示すように、エレメントシート２にカッター２０又はプレス機等でアンテナのパターンで切れ目２１を形成する。図ではアンテナパターンの細線状の部分は実線で表現してあるが、当然のことながら当該細線状の部分にも幅があり、切れ目２１はパターンの外形に沿って形成される。この切れ目２１によって印刷層８と金属層７と絶縁シート５はほぼ切断されるが、切れ目２１は剥離シート４には達しておらず、細線状のアンテナのエレメントがシート本体と完全に別体に分離されるものではない。すなわち、切れ目２１で囲まれた細線状のアンテナ部となる部分は、周囲のシート本体側と部分的に繋がっている部分があっても、後工程で分離できる程度であればよい。本例では、細線状のアンテナのエレメントは互いに独立した二本で一組を構成し、各々近接した一端部に端子部を有しており、全体としては略コ字状のパターンに形成されている。
【００２３】
図５に示すように、アンテナのパターンをカットしたエレメントシート２から剥離シート４を剥離して除去し、アンテナのパターンで切れ目２１が形成されてはいるが全体としては矩形のシート状であるエレメンとシート２を、基体シート１０の上面に貼り付けて一体にする。この際、カットしたアンテナ部となる部分が周囲の部分から分離しないように扱う。
【００２４】
図６に示すように、基体シート１０の上面に貼り付けたエレメントシート２ (剥離シート４は前工程で除去したのでこの段階ではもう存在しない）から、アンテナのパターン以外の部分（不要部分）を剥がして除去する。基体シート１０の上面には、印刷層８と金属層７と絶縁シート５からなる積層体として構成された細線状のアンテナのパターンだけが残り、これがアンテナ部２５となる。
【００２５】
この工程では、該アンテナ部２５の周囲にある前記不要部分が、基体シート１０の上面から容易に剥がれると同時にアンテナ部２５からも容易に分かれ、このアンテナ部２５のみが基体シート１０の上面に剥がれることなく安定して残ることが必要である。前記不要部分を剥がす際には、完全には切断されていない前記切れ目２１からアンテナ部２５にも引き剥がし力が加わるが、該アンテナ部２５は粘着層３の基体シート１０に対する粘着力によってこれに抗し、基体シート１０に残存するとともに、前記切れ目２１が完全に切断されて前記不要部分がアンテナ部２５から分離して剥離除去されるように、切れ目２１の切断の程度と粘着層３の粘着力を調整しておく。
【００２６】
図７に示すように、前記アンテナ部２５が設けられた前記基体シート１０の上面全面に、アンテナ部２５を完全に覆うような厚さで流体状のアクリル樹脂を含む保護材料を印刷する。このアクリル樹脂は、適当な時間の経過又は必要に応じて行われる温度調整によって固化し、その結果、透光性及び絶縁性を備えた保護層３０となる。
【００２７】
本例のアンテナ部２５は印刷層８で保護されてはいるが、アンテナパターンに切断して得られたものなので、その切断面３１（前記切れ目２１に対応する面）は金属が露出しており、そのままでは錆びやすく、また絶縁の面でも問題がある。しかし、上述したように、切断面３１を含めたアンテナ部２５の全体が保護層３０に密着して被覆されているので、実際にはこのような問題は生じない。すなわち、本例のアンテナ部２５は金属層７を切断して形成したので細くても十分な強度が得られ、また切断部の存在によって生じうる問題は印刷によって設けられる前記保護層３０によってクリアされる。
【００２８】
図８に示すように、前記保護層３０を、カッター２０又はプレス機等で前記アンテナ部２５を囲む形状に沿って切断する。ここで、カッター２０は前記保護層３０のみを切断し、前記基体シート１０は切断しない。
【００２９】
図９に示すように、前記アンテナ部２５の外側にある前記保護層３０を除去する。前記基体シート１０の上面には、アンテナ部２５及びアンテナ部２５よりもやや幅広で該アンテナ部２５を覆う保護層３０が残存する。
【００３０】
図１０に示すように、図３に示した被覆シート１５の剥離シート１７を剥がして、前記保護層３０に覆われた前記アンテナ部２５及び前記基体シート１０の上面に貼り付ける。被覆シート１５の粘着層１６の粘着力は前記基体シート１０の粘着層１１の粘着力よりも弱く、容易に剥がすことが可能である。
【００３１】
図１１に示すように、以上のようにして得られたシート体から、不要部分３２を切断して除去する。本例では、矩形のシート体に略コ字状のアンテナ部２５が設けられているので、略コ字状の凹部分を矩形に切断して除去する。これによって全体として略コ字形の貼付アンテナシート１が完成する。
【００３２】
この貼付アンテナシート１の積層構造は、図１０（ｂ）に示すものと同じであり、剥離シート１２を有する基体シート１０と、その上に切断によって形成されたアンテナ部２５（絶縁シート５、金属層７、印刷層８）と、該アンテナ部２５を金属層７の切断面３１も含めて完全に覆うように印刷・切断の工程で形成された保護層３０と、該アンテナ部２５及び基体シート１０の上面を覆う被覆シート１５からなる。
【００３３】
次に、以上のように形成された本例の貼付アンテナシート１の使用方法を図１２及び図１３を参照して説明する。
図１２に示すように、基体シート１０から剥離シート１２を剥がして例えばガラス面４０に貼付する。この際、基体シート１０の剥離シート１２には中央に２本のスリット１３，１３があるので、まず剥離シート１２の中央の小部分を除去して粘着層１１を露出させ、分離した両側の剥離シート１２，１２を両手で持ち、粘着層１１の中央部分をガラス面４０に位置決めし、位置が決まったところで粘着層１１の中央部分をガラス面４０に押し付けるとともに、両側の剥離シート１２．１２を両手で外側に向けて剥がしながら基体シート１０の全粘着層１１をガラス面４０に貼り付けていく。
【００３４】
図１３に示すように、貼り付け後、被覆シート１５を剥がして除去する。被覆シート１５の粘着層１６の粘着力は、基体シート１０の粘着層１１や、アンテナ部２５の絶縁シート５の粘着部３のそれよりも小さいので、被覆シート１５を剥がす際に、基体シート１０がガラス面４０から剥がれたり、アンテナ部２５が基体シート１０から剥がれる恐れはない。
【００３５】
これによって、被覆シート１５が除去された貼付アンテナシート１がガラス面４０に貼り付けられる。
図１５に示すように、自動車のフロントガラス（ガラス面４０）に貼り付けられた本例の貼付アンテナシート１は、透光性の基体シート１０の上に細線状のアンテナ部２５があるだけの状態なので、二枚のシート状物でアンテナ素子を挟んだ構造の前記従来例等に比べて光を通しやすく、その外形は視認しにくく、見栄えが良好である。このため、貼付アンテナシート１が貼られた領域の視界は問題なく、窓から外を観察するのに支障は生じない。
【００３６】
さらに、アンテナ部２５は金属層７のカット乃至打ち抜きで構成したものなので、ペーストを印刷して形成した場合に比べて強度があり、曲げに強い。また、パターン形成用の印刷版を製造する必要がなく、印刷後の乾燥工程も必要なく、その他様々な設計上の制約がより少なく、その構造に起因して従来のシート状アンテナに比較して様々な面で利点を有している。
【００３７】
以上説明した例では、アンテナ部２５の金属は不透明な銅であるから、ガラス面４０に貼った場合には視認されることとなるが、図１４に示すように、絶縁シート５にＩＴＯ(Indium Tin Oxide)等の透明導電物質からなる透明金属層７’を形成すれば、透明な前記基体シート１０とともに貼付アンテナシート１全体を透明に構成することができる。なお、透明金属層７’を用いる場合には、その構成成分中に顔料等の着色物質を適宜加えて所望の色彩に着色し、有色透明なアンテナ部２５を構成すれば、外観的な審美効果を高め、視認性の向上にも寄与することができる。
【００３８】
以上説明した例では、アンテナ部２５は絶縁シート５と金属層７と印刷層８からなっていたが、これに代えて金属層７だけで構成することもできる。その場合には、エレメントシート２として片面に粘着層を介して剥離シートが設けられた金属層７を材料に用いることができる。
【００３９】
以上説明した例では、保護層３０は、流体の保護材料を印刷して固化させ、アンテナのパターンに沿って切断して形成したが、細線状のアンテナ部２５が設けられた基体シート１０の上にフィルム状の保護材料を被せてアンテナ部２５の切断面３１まで密着被覆するようにし、その後同様にアンテナのパターンに沿って切断して保護層３０としてもよい。
【００４０】
また、アンテナ部２５を金属層７で構成し、保護層３０をフィルム状の保護材料から形成し、その他の部分は前記例と同様として、貼付アンテナシートを構成することもできる。
【００４１】
以上説明した各例では、自動車の窓ガラスに設ける場合を例示したが、取り付け対象は自動車の窓ガラスでなくてもよいし、またガラス面でなくてもよい。例えば、取り付け対象としては自動車以外の工業製品やその部品、移動式又は設置型の設備、構造物、家屋・ビル等の建造物やその一部分でもよい。これら取り付け対象の取り付け面としては、粘着層による貼付が可能な面であれば金属面でも木質面でもガラス以外の無機質面でもよく、平面か曲面かを問わない。
【図面の簡単な説明】
【００４２】
【図１】図１は本例の貼付アンテナシート１を製造する際の材料 (部品）となるエレメントシート２の断面図である。
【図２】図２は本例の貼付アンテナシート１を製造する際の材料 (部品）となる基体シート１０の断面図である。
【図３】図３は本例の貼付アンテナシート１を製造する際の材料 (部品）となる被覆シート１５の断面図である。
【図４】図４は本例の貼付アンテナシート１の構造を説明するために製造工程の一ステップを示す図であり、分図（ａ）は全体の斜視図であり、同分図（ｂ）は前記分図（ａ）中に示した切断線ｂ−ｂにおける断面図である。
【図５】図５は本例の貼付アンテナシート１の構造を説明するために製造工程の一ステップを示す図であり、分図（ａ）は全体の斜視図であり、同分図（ｂ）は前記分図（ａ）中に示した切断線ｂ−ｂにおける断面図である。
【図６】図６は本例の貼付アンテナシート１の構造を説明するために製造工程の一ステップを示す図であり、分図（ａ）は全体の斜視図であり、同分図（ｂ）は前記分図（ａ）中に示した切断線ｂ−ｂにおける断面図である。
【図７】図７は本例の貼付アンテナシート１の構造を説明するために製造工程の一ステップを示す図であり、分図（ａ）は全体の斜視図であり、同分図（ｂ）は前記分図（ａ）中に示した切断線ｂ−ｂにおける断面図である。
【図８】図８は本例の貼付アンテナシート１の構造を説明するために製造工程の一ステップを示す図であり、分図（ａ）は全体の斜視図であり、同分図（ｂ）は前記分図（ａ）中に示した切断線ｂ−ｂにおける断面図である。
【図９】図９は本例の貼付アンテナシート１の構造を説明するために製造工程の一ステップを示す図であり、分図（ａ）は全体の斜視図であり、同分図（ｂ）は前記分図（ａ）中に示した切断線ｂ−ｂにおける断面図である。
【図１０】図１０は本例の貼付アンテナシート１の構造を説明するために製造工程の一ステップを示す図であり、分図（ａ）は全体の斜視図であり、同分図（ｂ）は前記分図（ａ）中に示した切断線ｂ−ｂにおける断面図である。
【図１１】図１１は本例の貼付アンテナシート１の構造を説明するために製造工程の一ステップを示す全体の斜視図である。
【図１２】図１２は本例の貼付アンテナシート１の構造を説明するために製造工程の一ステップを示す図であり、分図（ａ）は全体の斜視図であり、同分図（ｂ）は前記分図（ａ）中に示した切断線ｂ−ｂにおける断面図である。
【図１３】図１３は本例の貼付アンテナシート１の構造を説明するために製造工程の一ステップを示す図であり、分図（ａ）は全体の斜視図であり、同分図（ｂ）は前記分図（ａ）中に示した切断線ｂ−ｂにおける断面図である。
【図１４】図１４は本例の貼付アンテナシート１を製造する際の材料 (部品）となるエレメントシート２の変形例の断面図である。
【図１５】図１５は本例の貼付アンテナシート１を自動車のフロントガラスに貼付した状態を示す斜視図である。
【図１６】図１６は、従来の貼付アンテナシート１の一例を示す平面図である。
【図１７】図１７は、従来の貼付アンテナシート１の一例を示す断面図である。
【符号の説明】
【００４３】
１…貼付アンテナシート、
２，２’…エレメントシート
３，５，１１，１６…粘着層、
４，１２，１７…剥離シート、
５…絶縁シート、
７…金属層、
８…印刷層、
１０…基体シート、
１３…スリット、
１５…被覆シート、
２５…アンテナ部、
３０…保護層、
３１…切断面、
４０…貼着面としてのガラス面。
【図１】
0003104382.tif 000003
【図２】
0003104382.tif 000004
【図３】
0003104382.tif 000005
【図４】
0003104382.tif 000006
【図５】
0003104382.tif 000007
【図６】
0003104382.tif 000008
【図７】
0003104382.tif 000009
【図８】
0003104382.tif 000010
【図９】
0003104382.tif 000011
【図１０】
0003104382.tif 000012
【図１１】
0003104382.tif 000013
【図１２】
0003104382.tif 000014
【図１３】
0003104382.tif 000015
【図１４】
0003104382.tif 000016
【図１５】
0003104382.tif 000017
【図１６】
0003104382.tif 000018
【図１７】
0003104382.tif 000019